(57)【要約】【課題】本発明は、マンション等において、テレビ、ＬＡＮ、インターネット及び予備の光ファイバの配線について、各戸への変換を予め施すことにより配線工事の煩わしさを無くすことのできるプレ配線モジュールを提供することを目的とするものである。【解決手段】本発明は、テレビ入力端子から入力したテレビ映像をカプラ内蔵ボックスで複数に分配するカプラユニットと、カプラユニットの上にテレビ映像を出力する光ファイバ収納トレイを設けたテレビ用ファンアウトコード配線と、テレビ用ファンアウトコード配線に前面パネルに接続したＦＴＴＨ及び予備の配線を出力に追加するＦＴＴＨ用及び予備用コネクタファンアウトコード配線と、テレビ用ファンアウトコード配線に前面パネルから引き込んだＬＡＮの配線を出力に追加するＬＡＮ用コネクタ引出ファンアウトコード配線とからなるプレ配線モジュールの構成とした。【選択図】図１
2007121791.tif 000002
【特許請求の範囲】
【請求項１】
テレビ入力端子から入力したテレビ映像をカプラ内蔵ボックスで複数に分配するカプラユニットと、前記カプラユニットの上にテレビ映像を出力する光ファイバ収納トレイを設けたテレビ用ファンアウトコード配線と、前記テレビ用ファンアウトコード配線に前面パネルに接続したＦＴＴＨ及び予備の配線を出力に追加するＦＴＴＨ用及び予備用コネクタファンアウトコード配線と、前記テレビ用ファンアウトコード配線に前面パネルから引き込んだＬＡＮの配線を出力に追加するＬＡＮ用コネクタ引出ファンアウトコード配線とからなり、テレビ映像、ＬＡＮ、ＦＴＴＨ及び予備をまとめてマンションの各戸へ光ファイバケーブルを配線できることを特徴とするプレ配線モジュール。
【発明の詳細な説明】
【技術分野】
【０００１】
本発明は、マンション等において、テレビ、ＬＡＮ、インターネット及び予備の光ファイバの配線について、各戸への変換を予め施すことにより配線工事の煩わしさを無くすことのできるプレ配線モジュールに関するものである。
【背景技術】
【０００２】
マンションやアパート等の集合住宅には、予めテレビ、ＬＡＮ又はインターネット等の配線がされており、住人が独自に配線を行わなくても容易に繋いで使用できるようになってきている。
【０００３】
図１８は、従来の配線を示す図である。マンションなどに光ファイバネットワークを構築するにあたり、テレビ、ＬＡＮ、インターネットなどの回線を家庭へ配線する際には、それぞれのアプリケーションから各配線パネルに変換を実施していた。
【０００４】
図１８の例に示すように、マンション８には、テレビ映像７ａ用のアンテナ７ｅ、ＬＡＮ（ローカルエリアネットワーク）７ｄ用のサーバ７ｆ等、インターネット用の光ファイバケーブル７ｈが接続されたＦＴＴＨ（ファイバーツーザホーム）７ｂ用のパッチパネル７ｉ等、及び予備７ｃ用のパッチパネル７ｉ等が配置されているものとする。尚、テレビ映像７ａは、アンテナ７ｅ以外のソース（例えば、ケーブルテレビ等）から供給することもできる。
【０００５】
尚、テレビ映像７ａは、アンテナ７ｅから４８戸に分配することのできるカプラ内蔵ボックス（分配器）２ａに接続され、ＬＡＮ７ｄは、サーバ７ｆ等からそれぞれ２４戸に分配できるＬＡＮ機器６ｃ及びＬＡＮ機器６ｄに接続され、ＦＴＴＨ７ｂ及び予備７ｃは、パッチパネル７ｉ等により４８戸へ配線可能とする。
【０００６】
テレビ映像７ａは、カプラ内蔵ボックス２ａからパッチコード８ｃを介して４８戸の配線パネル８ａに接続され、配線パネル８ａから光ファイバケーブル８ｂにより各戸へ配線される。
【０００７】
ＬＡＮ７ｄは、ＬＡＮ機器６ｃ及びＬＡＮ機器６ｄからパッチコード８ｃを介して４８戸の配線パネル８ａに接続され、配線パネル８ａから光ファイバケーブル８ｂにより各戸へ配線される。
【０００８】
ＦＴＴＨ７ｂは、パッチパネル７ｉ等からパッチコード８ｃを介して４８戸の配線パネル８ａに接続され、配線パネル８ａから光ファイバケーブル８ｂにより各戸へ配線される。尚、予備７ｃも同様である。
【０００９】
マンション８の４８戸に対して、テレビ映像７ａ、ＬＡＮ７ｄ、ＦＴＴＨ７ｂ及び予備７ｃ用の光ファイバ配線をするには、配線パネル８ａまでパッチコード８ｃを１９２本使用することになる。
【００１０】
特許文献１に記載されているように、集合住宅の新築に際してアパート、低層マンションのような小規模物件にも容易且つ安価に光ファイバケーブルを導入できる集合住宅用光ファイバ先行配線方法及び同方法に使用する集合住宅用先行配線光接続キャビネットという発明も公開されている。
【特許文献１】特開２００５−２１５０７１号公報
【発明の開示】
【発明が解決しようとする課題】
【００１１】
しかしながら、従来の技術では、アプリケーション毎又は各戸毎に光ファイバ配線を実施する必要が生じるため、作業が煩雑となる。また、光ファイバケーブルをアプリケーション数又は戸数分敷設したり、光ファイバにより通信を行うためのパッチコードが多数必要となる。
【００１２】
そこで、本発明は、マンション等において、テレビ、ＬＡＮ、インターネット及び予備の光ファイバの配線について、各戸への変換を予め施すことにより配線工事の煩わしさを無くすことのできるプレ配線モジュールを提供することを目的とするものである。
【課題を解決するための手段】
【００１３】
本発明は、上記の課題を解決するために、テレビ入力端子２ｂから入力したテレビ映像７ａをカプラ内蔵ボックス２ａで複数に分配するカプラユニット２と、前記カプラユニット２の上にテレビ映像７ａを出力する光ファイバ収納トレイ３ａを設けたテレビ用ファンアウトコード配線３と、前記テレビ用ファンアウトコード配線３に前面パネル４ａに接続したＦＴＴＨ７ｂ及び予備７ｃの配線を出力に追加するＦＴＴＨ用及び予備用コネクタファンアウトコード配線４と、前記テレビ用ファンアウトコード配線３に前面パネル４ａから引き込んだＬＡＮ７ｄの配線を出力に追加するＬＡＮ用コネクタ引出ファンアウトコード配線５とからなり、テレビ映像７ａ、ＬＡＮ７ｄ、ＦＴＴＨ７ｂ及び予備７ｃをまとめてマンション８の各戸へ光ファイバケーブル７を配線できることを特徴とするプレ配線モジュール１の構成とした。
【発明の効果】
【００１４】
本発明は、以上の構成であるから以下の効果が得られる。第１に、テレビ、ＬＡＮ及びインターネット等をそれぞれ個別に配線していたものが、まとめて配線することができるようになり、配線工事の煩わしさが無くなる。
【００１５】
第２に、テレビ、ＬＡＮ及びインターネット等の配線パネルが別々でパッチコードの使用数が多くなってしまっていたものが、配線をまとめることで、パッチコードの使用数も半減することができる。
【発明を実施するための最良の形態】
【００１６】
本発明は、マンション等において、テレビ、ＬＡＮ、インターネット及び予備の光ファイバの配線について、各戸への変換を予め施すことにより配線工事の煩わしさを無くすという目的を、テレビ入力端子から入力したテレビ映像をカプラ内蔵ボックスで複数に分配するカプラユニットと、前記カプラユニットの上にテレビ映像を出力する光ファイバ収納トレイを設けたテレビ用ファンアウトコード配線と、前記テレビ用ファンアウトコード配線に前面パネルに接続したＦＴＴＨ及び予備の配線を出力に追加するＦＴＴＨ用及び予備用コネクタファンアウトコード配線と、前記テレビ用ファンアウトコード配線に前面パネルから引き込んだＬＡＮの配線を出力に追加するＬＡＮ用コネクタ引出ファンアウトコード配線とからなり、テレビ映像、ＬＡＮ、ＦＴＴＨ及び予備をまとめてマンションの各戸へ光ファイバケーブルを配線できるようにすることで実現した。
【実施例１】
【００１７】
以下に、添付図面に基づいて、本発明であるプレ配線モジュールについて詳細に説明する。図１は、本発明であるプレ配線モジュールの概要図である。
【００１８】
プレ配線モジュール１は、テレビ入力端子２ｂから入力したテレビ映像７ａをカプラ内蔵ボックス２ａで複数に分配するカプラユニット２と、前記カプラユニット２の上にテレビ映像７ａを出力する光ファイバ収納トレイ３ａを設けたテレビ用ファンアウトコード配線３と、前記テレビ用ファンアウトコード配線３に前面パネル４ａに接続したＦＴＴＨ７ｂ及び予備７ｃの配線を出力に追加するＦＴＴＨ用及び予備用コネクタファンアウトコード配線４と、前記テレビ用ファンアウトコード配線３に前面パネル４ａから引き込んだＬＡＮ７ｄの配線を出力に追加するＬＡＮ用コネクタ引出ファンアウトコード配線５とからなり、テレビ映像７ａ、ＬＡＮ７ｄ、ＦＴＴＨ７ｂ及び予備７ｃをまとめてマンション８の各戸へ光ファイバケーブル７を配線できることを特徴とする。
【００１９】
プレ配線モジュール１は、マンション８の各戸へ個別に配信されるテレビ映像７ａ、ＬＡＮ７ｄ、ＦＴＴＨ７ｂ及び予備７ｃを入力し、まとめて光ファイバケーブル７から各戸へ出力する。
【００２０】
テレビ映像７ａは、テレビ用のアンテナ７ｅから受信され、コード２ｄを通じてテレビ入力端子２ｂからプレ配線モジュール１に入力される。カプラ内蔵ボックス２ａで戸数分に分配され、内部コネクタ２ｃ及び内部コネクタ３ｃを介し、コード３ｄを通じて光ファイバ収納トレイ３ａに送られ、光ファイバケーブル７を通じて各戸へ配信される。尚、内部コネクタ２ｃと内部コネクタ３ｃとは、融着接続してしまうこともできる。
【００２１】
ＦＴＴＨ７ｂは、インターネットに接続された通信回線がパッチパネル７ｉ等により戸数分に分配され、パッチコード７ｊを通じてＦＴＴＨ用コネクタ４ｆからプレ配線モジュール１に入力される。更に、コード４ｈを通じて光ファイバ収納トレイ３ａに送られ、光ファイバケーブル７を通じて各戸へ配信される。
【００２２】
予備７ｃは、ＦＴＴＨ７ｂと同様に、パッチパネル７ｉ等により戸数分に分配され、パッチコード７ｊを通じて予備用コネクタ４ｇからプレ配線モジュール１に入力される。更に、コード４ｉを通じて光ファイバ収納トレイ３ａに送られ、光ファイバケーブル７を通じて各戸へ配信される。
【００２３】
ＬＡＮ７ｄは、サーバ７ｆ等のコンピュータからコード７ｇによりＬＡＮ機器６ｃ又はＬＡＮ機器６ｄに接続され、戸数分に分配してＬＡＮ用コネクタ５ｆからコード５ｅを通じて光ファイバ収納トレイ３ａに送られ、光ファイバケーブル７を通じて各戸へ配信される。
【００２４】
光ファイバケーブル７は、４心タイプの光ファイバを使用して、テレビ映像７ａ、ＦＴＴＨ７ｂ、予備７ｃ及びＬＡＮ７ｄを伝送するが、２心タイプの光ファイバを使用して、例えば、テレビ映像７ａとＦＴＴＨ７ｂだけ伝送するようにすることもできる。
【００２５】
プレ配線モジュール１は、左側板２ｆ、右側板２ｇ、後板２ｎ、下板２ｏ、前面パネル４ａ及び上板６ａからなる中空の直方体状の枠体に、カプラユニット２、テレビ用ファンアウトコード配線３、ＦＴＴＨ用及び予備用コネクタファンアウトコード配線４、ＬＡＮ用コネクタ引出ファンアウトコード配線５、及びコネクタファンアウトコード配線６を設ける。
【００２６】
図２は、本発明であるプレ配線モジュールのカプラユニット搭載の平面図であり、図３は、本発明であるプレ配線モジュールのカプラユニット搭載の正面図であり、図４は、本発明であるプレ配線モジュールのカプラユニット搭載の側面透過図である。尚、前面パネル４ａ及び上板６ａは取り外した状態である。
【００２７】
左側板２ｆ及び右側板２ｇは、プレ配線モジュール１の左側及び右側の枠である。中板３ｇを載せるための左レール２ｊ及び右レール２ｋと、押さえ板５ａを取り付けるための左ガイド２ｈ及び右ガイド２ｉとが内側に設けられる。また、プレ配線モジュール１を設置したり取り外す際に引っ掛ける略Ｌ字状の左掛金２ｌ及び右掛金２ｍも前部に設けられる。更に、作業用の横孔２ｐも後部に設けられる。
【００２８】
後板２ｎは、プレ配線モジュール１の背面側の枠であり、下板２ｏは、プレ配線モジュール１の底面側の枠である。下板２ｏには、カプラユニット２が設置され、テレビ映像７ａ用の入力用の配線がなされる。
【００２９】
カプラユニット２は、カプラ内蔵ボックス２ａ、テレビ入力端子２ｂ、内部コネクタ２ｃ、入力用のコード２ｄ、出力用のコード２ｄ及びコード２ｄを押さえるための留具２ｅからなる。
【００３０】
カプラ内蔵ボックス２ａは、テレビ映像７ａをマンション８の各戸に分けるための分配器である。テレビ入力端子２ｂから入力用のコード２ｄによりテレビ映像７ａを受信し、出力用のコード２ｄにより内部コネクタ２ｃへ送信する。尚、分配器は、カプラ内蔵ボックス２ａのような内蔵タイプではなく、外置タイプとしても良い。
【００３１】
カプラ内蔵ボックス２ａで分配する戸数は、８戸又は１６戸の単位で行うのが好ましい。例えば、マンション８の戸数が４８戸の場合は、１６連の内部コネクタ２ｃを３つ使用し、出力用のコード２ｄを配線する。
【００３２】
出力用のコード２ｄは、まず３つに分配し、更に１６個に分配して、それぞれ内部コネクタ２ｃの１６個の端子に接続する。尚、図２では、分配したコード２ｄを省略して各２本しか接続していないが、各１６本接続する。また、コード２ｄは、内部コネクタ２ｃの上側に記載しているが、内部コネクタ２ｃの下側を回って接続される。
【００３３】
コード２ｄは、下板２ｏに数ヶ所取り付けた四角形等のリング状の留具２ｅの中を通すことにより押さえる。尚、コード２ｄの余長については、円形状等に束ねて、同様に留具２ｅで押さえる。
【００３４】
図５は、本発明であるプレ配線モジュールの中板搭載ファンアウトコード配線の平面図であり、図６は、本発明であるプレ配線モジュールの中板搭載ファンアウトコード配線の正面図であり、図７は、本発明であるプレ配線モジュールの中板搭載ファンアウトコード配線の側面透過図である。尚、前面パネル４ａ及び上板６ａは取り外した状態である。
【００３５】
テレビ用ファンアウトコード配線３は、カプラユニット２の上側に光ファイバ収納トレイ３ａを設けた中板３ｇを配置し、テレビ映像７ａの出力用の配線を行う。尚、中板３ｇは、左側板２ｆ及び右側板２ｇの中間の高さに手前から奥にかけて存在する左レール２ｊ及び右レール２ｋの上に設置する。
【００３６】
中板３ｇの奥側には、下側を陥没させ、上側を突出させた凸部３ｈを左右２ヶ所程度設ける。凸部３ｈは、外部からのケーブルを固定するのに用いる。また、ネジ３ｉによりケーブルのテンションメンバを固定する。
【００３７】
光ファイバ収納トレイ３ａは、テレビ映像７ａ、ＬＡＮ７ｄ、ＦＴＴＨ７ｂ及び予備７ｃ等を入力し、それらをまとめて光ファイバケーブル７から出力する。尚、図５は、入力用はテレビ映像７ａのみ記載してあり、また、プレ配線モジュール１を設置後に、光ファイバ収納トレイ３ａに出力用の光ファイバケーブル７を接続する。
【００３８】
内部コネクタ２ｃまで来たテレビ映像７ａは、アダプタ３ｂを介して内部コネクタ３ｃに渡り、コード３ｄにより光ファイバ収納トレイ３ａに至る。尚、コード３ｄは、留具２ｅと同様な留具３ｅ又は留具３ｆにより押さえる。
【００３９】
アダプタ３ｂは、中板３ｇの前面に設けられ、前側には内部コネクタ２ｃが接続され、後側には内部コネクタ３ｃが接続される。８連が２組の１６連の端子を接続できる形状が好ましく、４８戸の場合は、アダプタ３ｂが３つ設けられる。
【００４０】
図８は、本発明であるプレ配線モジュールの前面パネル取付コネクタファンアウトコード配線の平面図であり、図９は、本発明であるプレ配線モジュールの前面パネル取付コネクタファンアウトコード配線の正面図であり、図１０は、本発明であるプレ配線モジュールの前面パネル取付コネクタファンアウトコード配線の側面透過図である。尚、上板６ａは取り外した状態である。
【００４１】
ＦＴＴＨ用及び予備用コネクタファンアウトコード配線４は、プレ配線モジュール１の枠体前側に前面パネル４ａを取り付け、中板３ｇに施された配線に加え、ＦＴＴＨ７ｂ及び予備７ｃの出力用の配線を行う。
【００４２】
前面パネル４ａには、テレビ用アダプタ４ｂ、ＦＴＴＨ用アダプタ４ｃ、予備用アダプタ４ｄ、及びＬＡＮ用窓４ｅが設けられ、外部からテレビ映像７ａ、ＦＴＴＨ７ｂ、予備７ｃ、及びＬＡＮ７ｄを入力することができる。
【００４３】
テレビ用アダプタ４ｂは、前面パネル４ａの下側に１つ配置される。テレビ用アダプタ４ｂの内側にはテレビ入力端子２ｂが接続され、外側にはテレビ映像７ａ用のアンテナ７ｅを接続することができる。
【００４４】
ＦＴＴＨ用アダプタ４ｃは、内側にはＦＴＴＨ用コネクタ４ｆが接続され、外側にはＦＴＴＨ７ｂ用のパッチコード７ｊを接続することができる。８連が２組の１６連の端子を接続できる形状が好ましく、４８戸の場合は、ＦＴＴＨ用アダプタ４ｃが３つ設けられる。
【００４５】
予備用アダプタ４ｄは、ＦＴＴＨ用アダプタ４ｃの下側に配置され、ＦＴＴＨ用アダプタ４ｃと同様に、内側には予備用コネクタ４ｇが接続され、外側にはパッチコード７ｊを接続することができる。
【００４６】
ＬＡＮ用窓４ｅは、ＦＴＴＨ用アダプタ４ｃの上側に、ＬＡＮ７ｄ用の配線を通過させるために空けた長方形状の隙間である。４８戸の場合は、３つのＬＡＮ用窓４ｅを設け、それぞれＬＡＮ７ｄ用のコード５ｅを１６本ずつ通す。
【００４７】
ＦＴＴＨ用コネクタ４ｆの各端子には、コード４ｈが接続され、光ファイバ収納トレイ３ａに格納される。同様に、予備用コネクタ４ｇの各端子には、コード４ｉが接続され、光ファイバ収納トレイ３ａに格納される。
【００４８】
ＦＴＴＨ用コネクタ４ｆ又は予備用コネクタ４ｇが１６連の端子の場合、コード４ｈ又はコード４ｉをまず８連ずつをまとめ、余長を円形状等に束ねて、留具３ｅ又は留具３ｆで押さえながら、最終的に全てのコード４ｈ又はコード４ｉを配線する。
【００４９】
図１１は、本発明であるプレ配線モジュールの前面パネルコネクタ引出ファンアウトコード配線の平面図であり、図１２は、本発明であるプレ配線モジュールの前面パネルコネクタ引出ファンアウトコード配線の正面図であり、図１３は、本発明であるプレ配線モジュールの前面パネルコネクタ引出ファンアウトコード配線の側面透過図である。尚、上板６ａは取り外した状態である。
【００５０】
ＬＡＮ用コネクタ引出ファンアウトコード配線５は、前面パネル４ａのＬＡＮ用窓４ｅに支板５ｃを取り付け、ＦＴＴＨ用アダプタ４ｃ及び予備用アダプタ４ｄに保護板５ｄを取り付け、更に、左ガイド２ｈ及び右ガイド２ｉに押さえ５ｂのある押さえ板５ａを取り付けた上で、中板３ｇに施された配線に加え、ＬＡＮ７ｄの出力用の配線を行う。
【００５１】
押さえ板５ａは、左側板２ｆ及び右側板２ｇに手前側上部に存在する左ガイド２ｈ及び右ガイド２ｉに取り付け、ＬＡＮ用窓４ｅから外側に出すコード５ｅの通り道を押さえ５ｂにより導く。尚、４８戸の場合、押さえ５ｂは６つ用意し、８本ずつ押さえるのが好ましい。
【００５２】
支板５ｃは、ＬＡＮ用窓４ｅから外側に出たコード５ｅを支えるために、ＬＡＮ用窓４ｅの下側において、前面パネル４ａから水平に突設した板である。接続側は前面パネル４ａに対しネジ５ｇにより固定し、先端側はコード５ｅが前方に飛び出さないように上方に折り曲げる。
【００５３】
保護板５ｄは、ＦＴＴＨ用アダプタ４ｃ及び予備用アダプタ４ｄの横側及び、ＦＴＴＨ用アダプタ４ｃ及び予備用アダプタ４ｄ同士間に取り付けた長方形のリング状にした板である。前面パネル４ａから水平に突設し、ネジ５ｇにより固定する。
【００５４】
コード５ｅは、戸数が４８戸でＬＡＮ用窓４ｅが３つの場合は、１つのＬＡＮ用窓４ｅから１６本通し、２つの押さえ５ｂで８本ずつ押さえる。更に、余長を円形状等に束ねて、留具３ｅ又は留具３ｆで押さえながら、最終的に全てのコード５ｅを配線する。
【００５５】
各コード５ｅの先端には、ＬＡＮ機器６ｃ又はＬＡＮ機器６ｄに接続可能なＬＡＮ用コネクタ５ｆを設ける。コード５ｅの入力側はまとめないので、４８戸の場合は、４８個のＬＡＮ用コネクタ５ｆが存在する。
【００５６】
図１４は、本発明であるプレ配線モジュールの上部ＬＡＮ機器へコネクタファンアウトコード配線の平面図であり、図１５は、本発明であるプレ配線モジュールの上部ＬＡＮ機器へコネクタファンアウトコード配線の正面図であり、図１６は、本発明であるプレ配線モジュールの上部ＬＡＮ機器へコネクタファンアウトコード配線の側面図である。
【００５７】
コネクタファンアウトコード配線６は、プレ配線モジュール１の枠体上側に上板６ａを被せてネジ６ｂで留めた後、コード５ｅをＬＡＮ機器６ｃ又はＬＡＮ機器６ｄに接続して、ＬＡＮ７ｄの入力用の配線を行う。尚、図１４は、ＬＡＮ機器６ｃ又はＬＡＮ機器６ｄを設置する前の状態である。
【００５８】
ＬＡＮ機器６ｃ又はＬＡＮ機器６ｄは、ＬＡＮ７ｄを分配するための機器であり、プレ配線モジュール１の上に置き、プレ配線モジュール１と共にまとめられた装置にすることが好ましい。
【００５９】
例えば、４８戸の場合、ＬＡＮ用コネクタ５ｆのうち２４個がＬＡＮ機器６ｃのＬＡＮ用アダプタ６ｅに接続され、残りの２４個がＬＡＮ機器６ｄのＬＡＮ用アダプタ６ｆに接続される。
【００６０】
ＬＡＮ入力アダプタ６ｇ又はＬＡＮ入力アダプタ６ｈは、サーバ７ｆ等からＬＡＮ７ｄを入力するためのコード７ｇを接続するためのアダプタである。まず、ＬＡＮ７ｄは、ＬＡＮ機器６ｃの方とＬＡＮ機器６ｄの方とに分けられる。
【００６１】
ＬＡＮ機器６ｃ又はＬＡＮ機器６ｄにおいて、ＬＡＮ７ｄを戸数分に分配し、ＬＡＮ用アダプタ６ｅ又はＬＡＮ用アダプタ６ｆから出力したものが、プレ配線モジュール１におけるＬＡＮ７ｄの入力となる。
【００６２】
図１７は、本発明であるプレ配線モジュールの配線を示す図である。テレビ映像７ａ、ＬＡＮ７ｄ、ＦＴＴＨ７ｂ及び予備７ｃは、プレ配線モジュール１でまとめられ、光ファイバケーブル７により各戸に配信される。
【００６３】
光ファイバケーブル７は、各戸に分散して配線されるが、それぞれにはテレビ映像７ａ、ＬＡＮ７ｄ、ＦＴＴＨ７ｂ及び予備７ｃのコードが含まれるファイバ４心タイプである。尚、利用形態によっては、ファイバ２心タイプとすることも可能である。
【００６４】
テレビ映像７ａは、アンテナ７ｅからプレ配線モジュール１のテレビ用アダプタ４ｂに接続され、内蔵されているカプラ内蔵ボックス２ａにより戸数分に分配して、各戸ごとにまとめた上で光ファイバケーブル７により各戸へ配信される。
【００６５】
ＦＴＴＨ７ｂは、インターネットに使用する光ファイバケーブル７ｈをパッチパネル７ｉに接続し、戸数分に分配する。パッチコード７ｊをプレ配線モジュール１のＦＴＴＨ用アダプタ４ｃに接続し、各戸ごとにまとめた上で光ファイバケーブル７により各戸へ配信される。尚、予備７ｃも同様である。
【００６６】
ＬＡＮ７ｄは、サーバ７ｆ等からコード７ｇによりＬＡＮ機器６ｃとＬＡＮ機器６ｄに分配し、更に各戸に分配する。コード５ｅによりプレ配線モジュール１に接続し、各戸ごとにまとめた上で光ファイバケーブル７により各戸へ配信される。
【００６７】
マンション８の４８戸に対して、テレビ映像７ａ、ＬＡＮ７ｄ、ＦＴＴＨ７ｂ及び予備７ｃ用の光ファイバ配線をするには、プレ配線モジュール１を１台使用し、パッチコード７ｊを９６本使用すれば良い。
【００６８】
以上のように、本発明であるプレ配線モジュールは、テレビ、ＬＡＮ及びインターネット等をそれぞれ個別に配線していたものが、まとめて配線することができるようになり、配線工事の煩わしさが無くなる。
【００６９】
また、テレビ、ＬＡＮ及びインターネット等の配線パネルが別々でパッチコードの使用数が多くなってしまっていたものが、配線をまとめることで、パッチコードの使用数も半減することができる。
【図面の簡単な説明】
【００７０】
【図１】本発明であるプレ配線モジュールの概要図である。
【図２】本発明であるプレ配線モジュールのカプラユニット搭載の平面図である。
【図３】本発明であるプレ配線モジュールのカプラユニット搭載の正面図である。
【図４】本発明であるプレ配線モジュールのカプラユニット搭載の側面透過図である。
【図５】本発明であるプレ配線モジュールの中板搭載ファンアウトコード配線の平面図である。
【図６】本発明であるプレ配線モジュールの中板搭載ファンアウトコード配線の正面図である。
【図７】本発明であるプレ配線モジュールの中板搭載ファンアウトコード配線の側面透過図である。
【図８】本発明であるプレ配線モジュールの前面パネル取付コネクタファンアウトコード配線の平面図である。
【図９】本発明であるプレ配線モジュールの前面パネル取付コネクタファンアウトコード配線の正面図である。
【図１０】本発明であるプレ配線モジュールの前面パネル取付コネクタファンアウトコード配線の側面透過図である。
【図１１】本発明であるプレ配線モジュールの前面パネルコネクタ引出ファンアウトコード配線の平面図である。
【図１２】本発明であるプレ配線モジュールの前面パネルコネクタ引出ファンアウトコード配線の正面図である。
【図１３】本発明であるプレ配線モジュールの前面パネルコネクタ引出ファンアウトコード配線の側面透過図である。
【図１４】本発明であるプレ配線モジュールの上部ＬＡＮ機器へコネクタファンアウトコード配線の平面図である。
【図１５】本発明であるプレ配線モジュールの上部ＬＡＮ機器へコネクタファンアウトコード配線の正面図である。
【図１６】本発明であるプレ配線モジュールの上部ＬＡＮ機器へコネクタファンアウトコード配線の側面図である。
【図１７】本発明であるプレ配線モジュールの配線を示す図である。
【図１８】従来の配線を示す図である。
【符号の説明】
【００７１】
１        プレ配線モジュール
２        カプラユニット
２ａ      カプラ内蔵ボックス
２ｂ      テレビ入力端子
２ｃ      内部コネクタ
２ｄ      コード
２ｅ      留具
２ｆ      左側板
２ｇ      右側板
２ｈ      左ガイド
２ｉ      右ガイド
２ｊ      左レール
２ｋ      右レール
２ｌ      左掛金
２ｍ      右掛金
２ｎ      後板
２ｏ      下板
２ｐ      横孔
３        テレビ用ファンアウトコード配線
３ａ      光ファイバ収納トレイ
３ｂ      アダプタ
３ｃ      内部コネクタ
３ｄ      コード
３ｅ      留具
３ｆ      留具
３ｇ      中板
３ｈ      凸部
３ｉ      ネジ
４        ＦＴＴＨ用及び予備用コネクタファンアウトコード配線
４ａ      前面パネル
４ｂ      テレビ用アダプタ
４ｃ      ＦＴＴＨ用アダプタ
４ｄ      予備用アダプタ
４ｅ      ＬＡＮ用窓
４ｆ      ＦＴＴＨ用コネクタ
４ｇ      予備用コネクタ
４ｈ      コード
４ｉ      コード
５        ＬＡＮ用コネクタ引出ファンアウトコード配線
５ａ      押さえ板
５ｂ      押さえ
５ｃ      支板
５ｄ      保護板
５ｅ      コード
５ｆ      ＬＡＮ用コネクタ
５ｇ      ネジ
６        コネクタファンアウトコード配線
６ａ      上板
６ｂ      ネジ
６ｃ      ＬＡＮ機器
６ｄ      ＬＡＮ機器
６ｅ      ＬＡＮ用アダプタ
６ｆ      ＬＡＮ用アダプタ
６ｇ      ＬＡＮ入力アダプタ
６ｈ      ＬＡＮ入力アダプタ
７        光ファイバケーブル
７ａ      テレビ映像
７ｂ      ＦＴＴＨ
７ｃ      予備
７ｄ      ＬＡＮ
７ｅ      アンテナ
７ｆ      サーバ
７ｇ      コード
７ｈ      光ファイバケーブル
７ｉ      パッチパネル
７ｊ      パッチコード
８        マンション
８ａ      配線パネル
８ｂ      光ファイバケーブル
８ｃ      パッチコード
【図１】
2007121791.tif 000003
【図２】
2007121791.tif 000004
【図３】
2007121791.tif 000005
【図４】
2007121791.tif 000006
【図５】
2007121791.tif 000007
【図６】
2007121791.tif 000008
【図７】
2007121791.tif 000009
【図８】
2007121791.tif 000010
【図９】
2007121791.tif 000011
【図１０】
2007121791.tif 000012
【図１１】
2007121791.tif 000013
【図１２】
2007121791.tif 000014
【図１３】
2007121791.tif 000015
【図１４】
2007121791.tif 000016
【図１５】
2007121791.tif 000017
【図１６】
2007121791.tif 000018
【図１７】
2007121791.tif 000019
【図１８】
2007121791.tif 000020